(57)【特許請求の範囲】
【請求項１】
少なくとも人体の手、前腕および上腕を備えた硬質の骨状部材と前記骨状部材を覆う軟質部材とを有し、人体の動作範囲と同じ可動範囲を有する整復技術習得用の人体模型教材であって、
前記骨状部材の橈骨が、前記橈骨の遠位端側において、橈骨遠位端部材と橈骨近位端部材とに分離された分離面を有し、
前記橈骨の背側と掌側間の断面において、橈骨近位端部材の掌側と前記分離面との角度が６０〜９０°であり、
前記橈骨遠位端部材および前記橈骨近位端部材のうちいずれか一方の、
前記橈骨遠位端部材と前記橈骨近位端部材のうちの他方に隣接する側に磁石が設けられ、
前記橈骨遠位端部材および前記橈骨近位端部材のうちの他方の、
前記橈骨遠位端部材と前記橈骨近位端部材とが隣接する側に磁石または磁石に吸着される金属が設けられてなる
整復技術習得用の人体模型教材。
【請求項２】
前記軟質部材が透明なゴム素材である請求項１記載の整復技術習得用の人体模型教材。
【請求項３】
少なくとも人体の手および前腕を備えた硬質の骨状部材を有し、人体の動作範囲と同じ可動範囲を有する整復技術習得用の人体模型教材であって、
前記骨状部材の橈骨が、前記橈骨の遠位端側において、人体の橈骨遠位端骨折を再現するように橈骨遠位端部材と橈骨近位端部材とに分離面を介して分離され、
前記橈骨遠位端部材および前記橈骨近位端部材のうちいずれか一方の、
前記橈骨遠位端部材と前記橈骨近位端部材のうちの他方に隣接する側に磁石が設けられ、
前記橈骨遠位端部材および前記橈骨近位端部材のうちの他方の、
前記橈骨遠位端部材と前記橈骨近位端部材とが隣接する側に磁石または磁石に吸着される金属が設けられてなる
整復技術習得用の人体模型教材。
【請求項４】
前記硬質の骨状部材を覆う軟質部材をさらに備えた請求項３記載の整復技術習得用の人体模型教材。
【請求項５】
前記軟質部材が透明なゴム素材である請求項４記載の整復技術習得用の人体模型教材。
【請求項６】
前記橈骨遠位端部材および前記橈骨近位端部材が、人体のコーレス骨折またはスミス骨折の症状を再現するように分離された請求項３〜５のいずれか１項に記載の整復技術習得用の人体模型教材。
【発明の詳細な説明】
【技術分野】
【０００１】
本発明は、骨折の整復技術習得用の人体模型教材に関する。さらに詳しくは、橈骨遠位端骨折（コーレス骨折、スミス骨折）を治療するための整復技術を習得することができる人体模型教材に関する。
【背景技術】
【０００２】
レントゲン検査や麻酔技術のない古来より、骨折・脱臼の治療方法として柔道整復による治療が広く行なわれてきた。柔道整復は、東洋医学に属する医療行為であり、現在においても手術や入院の必要のない程度の骨折や、脱臼の治療技術として、その重要性は高い。また、柔道整復による治療は麻酔をしないので、治療時に痛みを伴うが、高い柔道整復技術を有する柔道整復師によれば、効率よく、迅速かつ丁寧に治療され、その痛みを最小限に抑えることができる。その技術は、スポーツ、事故、災害現場において、応急的な処置をおこなう上でも有効である。したがって、柔道整復は、医療施設内での医療機器、麻酔下での治療を前提とした西洋医学の整形外科的治療に劣らない優れた治療法である。
【０００３】
代表的な整復技術の一例として、橈骨遠位端伸展型骨折（以下、コーレス骨折という）の治療方法について説明する。コーレス骨折は、手術をする観血的な治療でなく、非観血的な徒手整復による治療が可能であり、また発生の頻度が高いため、その整復技術の重要性は高い。
【０００４】
図８に示されるように、橈骨（とうこつ）１００とは、人間の左右の前腕に１本ずつ存在し、尺骨１０１とともに前腕構造を支持する骨である。橈骨１００の上腕骨１０２側の端部は近位端１０３と呼ばれ、他方の端部、すなわち手側の端部は遠位端１０４と呼ばれる。橈骨１００は、近位端１０３側では細長い構造をしているが、遠位端１０４に移行するにつれて太くなるという構造をしている。
【０００５】
コーレス骨折とは、橈骨１００の遠位端１０４側で生じる骨折であり、日常生活、交通事故、災害およびスポーツ時などに起こり得る。典型的な症状として、転倒時に手のひら（手掌）を下にして手をついたとき、橈骨１００に大きな負荷がかかり、橈骨１００の遠位端１０４側末梢骨片が上方向（背側）にスライドするように骨折することが挙げられる。コーレス骨折は通常、骨折した橈骨の遠位端１０４側末梢骨片が橈側、回外、短縮、背側という４つの転位を伴う。
【０００６】
橈側とは、橈骨１００が遠位端１０４側において、骨折分離した遠位端１０４側橈骨１００末梢骨片が骨折切断面において親指側へスライドする状態をいう。回外とは、骨折により分離した近位端１０３側の橈骨１００中枢骨片に対して、遠位端１０４側の橈骨１００末梢骨片が、骨折切断面において、その親指側が手の甲側に盛り上がるように外方向（小指側）に回転し、ひねられる状態をいう。背側とは、橈骨１００が手の平をついて骨折するため、骨折分離した遠位端１０４側橈骨１００末梢骨片が外力および筋肉の収縮によって手の甲側（背側方向）へスライドすることをいう。短縮とは、背側と同時に、遠位端１０４側橈骨１００末梢骨片が背側方向へ骨折切断面との接触が無くなるほどスライドし突き出る結果、遠位端１０４側橈骨１００末梢骨片が近位端１０３側方向へスライドし、前腕の長さが短くみえる状態をいう。前記４つの転位を伴ったコーレス骨折は、西洋医学の整形外科手術によらず、柔道整復によって治療することができる。
【０００７】
コーレス骨折の整復は、助手に橈骨１００近位端１０３側中枢骨片を把握保持させ、術者は橈骨１００遠位端１０４側末梢骨片を把握する。そして、橈骨１００末梢骨片を遠位端１０４側に牽引することで短縮転位を整復する。同時に、回外している遠位端１０４側橈骨１００末梢骨片を逆回転、すなわち回内することにより回外転位を整復する。次に、親指側に突き出た遠位端１０４側橈骨１００末梢骨片を押し戻す動作、すなわち尺屈により橈側転位を整復する。そして背側転位を手の平側に掌屈しながら骨折切断面を合わせるように背側転位を整復する。コーレス骨折は、通常上記した４つの転位があり、それぞれの転位を改善する整復技術を習得すれば、色々な程度のコーレス骨折の整復に応用することができる。
【０００８】
上記のような柔道整復治療をおこなうことができる柔道整復師になるためには、柔道整復師を養成する専門学校などに通わなければならない。そして、整復技術は視覚、触覚などの感覚によるところが大きいため、臨床の現場において、実際に骨折、脱臼した患者に対する指導者の整復を見学したり、実習生自身が実際に整復をおこなうことにより、その高い技術を習得する。
【０００９】
しかし、近年、規制緩和により柔道整復学校が増加し、学生が急増したことにより、臨床の現場において、実習生が実際の患者を治療する機会が減少している。その結果、十分な整復技術を習得できていない柔道整復師が増加しつつある。また、整復技術を有しない実習生が、実習として患者を治療する場合、患者に通常の治療以上の不安や苦痛を与えるおそれもある。
【００１０】
以上のとおり、現在、柔道整復学校では、高い技術を有する柔道整復師を、いかにして育成するかということに苦慮しており、これは柔道整復学校だけの問題ではなく、柔道整復業界、ひいては日本の医療現場における重要な課題として顕在化しつつある。
【００１１】
他方、西洋医学の分野では、実際の治療技術を習得するため、例えば、特許文献１に歯科実習用患者模型装置が提案されている。しかし、柔道整復などに代表される東洋医学の分野では、実際に骨折・脱臼した患者を治療するのと同じような体験をすることができ、適切な整復技術を習得することができる人体模型教材はこれまでなかった。
【先行技術文献】
【特許文献】
【００１２】
【特許文献１】特開２００１−３３７５９７号公報
【発明の概要】
【発明が解決しようとする課題】
【００１３】
本発明は、前記従来の問題に鑑みてなされたものであり、実際の橈骨遠位端骨折（コーレス骨折、スミス骨折）の症状に限りなく近い症状を人体模型教材上に再現することにより、実習生が実際に治療をおこなうことなく、橈骨遠位端骨折の整復技術を習得することができる、整復技術習得用の人体模型教材を提供することを目的とする。
【課題を解決するための手段】
【００１４】
本発明の整復技術習得用の人体模型教材は、少なくとも人体の手、前腕、上腕を備えた硬質の骨状部材と前記骨状部材を覆う軟質部材とを有し、人体の動作範囲と同じ可動範囲を有する整復技術習得用の人体模型教材であって、前記骨状部材の橈骨が、前記橈骨の遠位端側において、橈骨遠位端部材と橈骨近位端部材とに分離された分離面を有し、前記橈骨の背側と掌側間の断面において、橈骨近位端部材の掌側と前記分離面との角度が６０〜９０°であり、前記橈骨遠位端部材および前記橈骨近位端部材のうちいずれか一方の、前記橈骨遠位端部材と前記橈骨近位端部材のうちの他方に隣接する側に磁石が設けられ、前記橈骨遠位端部材および前記橈骨近位端部材のうちの他方の、前記橈骨遠位端部材と前記橈骨近位端部材とが隣接する側に磁石または磁石に吸着される金属が設けられてなることを特徴とする。
【００１５】
また、前記軟質部材が透明なゴム素材であることが好ましい。
【００１６】
また、本発明の整復技術習得用の人体模型教材は、少なくとも人体の手および前腕を備えた硬質の骨状部材を有し、人体の動作範囲と同じ可動範囲を有する整復技術習得用の人体模型教材であって、前記骨状部材の橈骨が、前記橈骨の遠位端側において、人体の橈骨遠位端骨折を再現するように橈骨遠位端部材と橈骨近位端部材とに分離面を介して分離され、前記橈骨遠位端部材および前記橈骨近位端部材のうちいずれか一方の、前記橈骨遠位端部材と前記橈骨近位端部材のうちの他方に隣接する側に磁石が設けられ、前記橈骨遠位端部材および前記橈骨近位端部材のうちの他方の、前記橈骨遠位端部材と前記橈骨近位端部材とが隣接する側に磁石または磁石に吸着される金属が設けられてなることを特徴とする。
また、硬質の骨状部材を覆う軟質部材をさらに備えることが好ましい。
また、軟質部材が透明なゴム素材であることが好ましい。
また、前記橈骨遠位端部材および前記橈骨近位端部材が、人体のコーレス骨折またはスミス骨折の症状を再現するように分離されていることが好ましい。
【発明の効果】
【００１７】
本発明の整復技術習得用の人体模型教材は、実際の橈骨遠位端骨折に限りなく近い症状を人体模型教材上に再現することにより、実際の患者に対して整復することなく、実習生が橈骨遠位端骨折の整復技術を習得することができ、柔道整復師の整復技術を飛躍的に向上させることができる。また、本発明の整復技術習得用の人体模型教材は、実際の患者への治療と異なり、何度でも整復可能であるので、実際の患者に対する治療では一度きりしか体験できない動作を何度でも繰り返し練習することができ、これまで以上に柔道整復師の技術向上が期待できる。さらに、技術レベルの低い柔道整復師または実習生の整復によって生じる、患者の不安、苦痛を軽減または除去することができる。
【００１８】
また、本発明の整復技術習得用の人体模型教材は、柔道整復師の技術向上に資するのみならず、増加する実習生の整復技術向上に有効な指導方法を柔道整復学校に提供し、柔道整復教育の向上、および柔道整復業界の技術力向上に貢献する。
【図面の簡単な説明】
【００１９】
【図１】（ａ）は、本発明の人体模型教材の橈骨の骨折状態を手の甲側から見た模式図、（ｂ）は、本発明の人体模型教材の橈骨の骨折状態を親指側の側面から見た模式図である。
【図２】（ａ）は、本発明の人体模型教材の橈骨の整復された状態を手の甲側から見た模式図、（ｂ）は、本発明の人体模型教材の橈骨の整復された状態を親指側の側面から見た模式図である。
【図３】本発明の橈骨の概略図である。
【図４】（ａ）は、本発明の人体模型教材の前腕部の縦断面図、（ｂ）は、本発明の人体模型教材の前腕部の横断面図、（ｃ）は、本発明の人体模型教材の前腕部の他の実施形態における横断面図である。
【図５】本発明の人体模型教材の軟質部材の第１の装着状態を示す模式図である。
【図６】本発明の人体模型教材の軟質部材の第２の装着方法を示す模式図である。
【図７】（ａ）は、本発明の人体模型教材のスペーサーの装着状態を示す模式図、（ｂ）は、（ａ）の横断面図である。
【図８】人体右腕の骨格の説明図である。
【発明を実施するための形態】
【００２０】
以下、添付図面を参照して、本発明を詳細に説明する。
【００２１】
図１ａは、本発明の人体模型教材１の橈骨の骨折状態を手の甲側から見た模式図であり、図１ｂは、本発明の人体模型教材１の橈骨の骨折状態を親指側の側面から見た模式図であり、図２ａは、本発明の人体模型教材１の橈骨の整復された状態を手の甲側から見た模式図であり、図２ｂは、本発明の人体模型教材１の橈骨の整復された状態を親指側の側面から見た模式図であり、図３は、本発明の橈骨１０の概略図であり、図４ａは本発明の人体模型教材１の前腕部の縦断面図であり、図４ｂは、本発明の人体模型教材１の前腕部の横断面図であり、図４ｃは、本発明の人体模型教材１の前腕部の他の実施形態を示す横断面図であり、図５は、本発明の人体模型教材１の軟質部材の第１の装着状態を示す模式図であり、図６は、本発明の人体模型教材１の軟質部材の第２の装着方法を示す模式図であり、図７ａは、本発明の人体模型教材１のスペーサーの装着状態を示す模式図であり、図７ｂは、図７ａの横断面図である。
【００２２】
本発明の第１の実施形態では、整復技術習得用の人体模型教材１は、橈骨遠位端骨折の整復が上腕部および前腕部を固定しておこなう必要があるため、少なくとも人体の手、前腕および上腕を備える必要がある。しかし、実際の整復治療に近い状況を演出するためには、人体模型教材１は人体全体の模型であることが好ましい。
【００２３】
また、人体模型教材１は、硬質の骨状部材２と前記骨状部材２を覆う軟質部材３とからなる。骨状部材２は、文字通り人骨の質感を再現する。骨状部材２の材質は、人骨の質感を再現できるものであれば特に限定されないが、人骨の形状に加工することが容易であるという理由からステンレス、鉄、銅およびアルミニウムなどの金属製であることが好ましく、また、軽量であるという理由からＰＶＣ(ポリ塩化ビニル)、ＦＲＰおよび木製であることが好ましい。
【００２４】
また、人体模型教材１は、人体の動作範囲と同じ可動範囲を有する。これにより、人体と同じ動きを再現することが可能となり、より実際の整復治療に近い状況を作出することができる。人体の動作範囲と同じ可動範囲を有するために、骨状部材２の各部位は、人体の関節に相当する箇所において針金、バネまたはゴムなどで連結され、バネやゴムなどの弾性体の付勢力により人体と同じ動きおよび動きに対する抵抗感が再現される。
【００２５】
図１〜２に示されるように、骨状部材２の橈骨１０は、橈骨１０の遠位端側において、橈骨遠位端部材１１と橈骨近位端部材１２とに分離される。これにより、橈骨遠位端骨折の症状が人体模型教材１上に再現される。また、両者が分離されていることにより、橈側、回外、短縮および背側といったコーレス骨折の顕著な症状を人体模型教材１上に再現することができる。
【００２６】
橈骨遠位端部材１１と橈骨近位端部材１２との分離部分Ａの位置は、実際の橈骨遠位端骨折の症状を再現するという観点から、橈骨遠位端部材１１の遠位末端から近位端方向に１〜５ｃｍの箇所であることが好ましく、より好ましくは１．５〜４ｃｍであり、最も好ましくは２〜３ｃｍである。
【００２７】
橈骨遠位端部材１１と橈骨近位端部材１２との分離部分Ａは、橈骨１０の背側と掌側間の縦断面において、橈骨近位端部材１２の掌側と分離面との角度が６０〜９０°になるように形成されている。その理由は、通常のコーレス骨折において、前記角度は通常６０〜９０°であることが多いからである。
【００２８】
また、橈骨遠位端部材１１と橈骨近位端部材１２との分離部分Ａは、橈骨１０の背側と掌側間の縦断面において、橈骨遠位端部材１１の背側と分離面との角度が９０〜１２０°になるように形成されていてもよい。その理由は、通常のスミス骨折において、前記角度は通常９０〜１２０°であることが多いからである。
【００２９】
橈骨遠位端部材１１と橈骨近位端部材１２との分離部分Ａの分離面は、丸みを帯びた頂点を有する三角形または半円である。これにより、人体の橈骨の断面形状が再現され、橈骨遠位端部材１１の橈側、回外、短縮および背側といったコーレス骨折の顕著な転位状態を再現することができる。特に、分離した橈骨遠位端部材１１と橈骨近位端部材１２との分離面の接触がなくなるほど顕著に背側および短縮転位した際の橈骨遠位端部材１１の回外転位を再現するためには、橈骨遠位端部材１１と橈骨近位端部材１２との分離部分Ａの分離面は、人体の橈骨の横断面形状に近い丸みを帯びた頂点を有する三角形であることが好ましい。
【００３０】
図３に示されるように、本発明の第１の実施形態では、橈骨遠位端部材１１は全体が金属で形成される。これにより、後述の橈骨近位端部材１２の磁石１３と、その磁力により離間することなく磁気的な吸着状態が維持される。橈骨遠位端部材１１は橈骨近位端部材１２より形状が複雑であるので、橈骨遠位端部材１１を磁石１３にするとその加工が困難になる。したがって、橈骨遠位端部材１１は、加工が容易な金属で形成され、好ましくは錆びにくいステンレスが用いられる。橈骨遠位端部材１１の製造方法は特に限定されないが、安価な切削加工が好ましい。
【００３１】
橈骨遠位端部材１１は、橈骨近位端部材１２と隣接する一部が金属であってもよい。これにより、橈骨遠位端部材１１の全体を金属とする場合よりも金属の使用量を抑えることができ、他の部分をＰＶＣなどに置き換えることができるのでコストを低減することができる。この場合、橈骨遠位端部材１１の他の部分は、ＰＶＣ、ＦＲＰまたは木材などで形成される。前記金属の厚さは、コーレス骨折の転位状態を再現することができるように１ｃｍ以上の厚さを有する必要がある。前記金属の橈骨遠位端部材１１への固定方法は特に限定されないが、固定が容易であるという理由から接着剤またはネジによる固定が好ましい。
【００３２】
橈骨近位端部材１２は、磁石１３ならびに金属および／またはＰＶＣで形成される。橈骨近位端部材１２は、橈骨遠位端部材１１と隣接する側に磁石１３が設けられ、磁石１３の磁力により、橈骨近位端部材１２は金属製の橈骨遠位端部材１１と離間することなく磁気的な吸着状態が維持される。
【００３３】
橈骨近位端部材１２の磁石１３は磁性を有するものであれば特に限定されないが、ネオジウム磁石であることが好ましい。また、金属の材質は特に限定されないが、整復動作で折れない強度を有するステンレスまたは鉄が好ましい。また、ＰＶＣはＦＲＰや木などに代替することができる。
【００３４】
図３に示されるように、本発明の第１の実施形態では、橈骨近位端部材１２は、磁石１３を収容することができるように橈骨遠位端部材１１と隣接する部分が閉じられ、橈骨近位側に開口した有底筒状の筒状部材１４と、筒状部材１４内部に収容される磁石１３と、筒状部材１４の開口部にはめ込まれて固定されるＰＶＣ製の部材１５とから構成される。
【００３５】
磁石１３の長さは特に限定されないが、橈骨遠位端部材１１との吸着性を考慮して１〜６ｃｍであることが好ましく、より好ましくは２〜５ｃｍであり、最も好ましくは３．５〜４．５ｃｍである。筒状部材１４の長さは、助手または術者が整復時に把握固定するため、８〜１２ｃｍであることが好ましく、より好ましくは９〜１１ｃｍであり、最も好ましくは９．５〜１０．５ｃｍである。
【００３６】
そして、筒状部材１４とＰＶＣ製の部材１５との固定方法は特に限定されないが、筒状部材１４内部に磁石１３を挿入した後、筒状部材１４内部の残りの空間にＰＶＣ製の部材１５を挿入し、はめ込むように固定する。また、両者の固定を容易かつ強固にするため、固定には接着剤、ネジまたはゴムバンドを用いることが好ましい。
【００３７】
上記のように、橈骨遠位端部材１１および橈骨近位端部材１２の一部に金属または磁石１３を設ける場合、橈骨遠位端部材１１に磁石１３を設け、橈骨近位端部材１２に金属を設けてもよいし、橈骨遠位端部材１１および橈骨近位端部材１２の両方の一部を磁石１３としてもよい。
【００３８】
橈骨近位端部材１２は、橈骨遠位端部材１１と同様に切削加工などでその形状を形成した後、着磁することにより作成してもよい。この場合、橈骨近位端部材１２全体が磁石１３となる。
【００３９】
橈骨近位端部材１２の磁石１３の磁力は特に限定されないが、人体における筋肉や腱の抵抗感と同程度の抵抗感を再現するという観点から、好ましくは１０００〜６０００ガウスであり、より好ましくは２０００〜５０００ガウスであり、最も好ましくは３５００〜４５００ガウスである。
【００４０】
図４ａに示されるように、整復技術習得用の人体模型教材１の軟質部材３は、人体の軟部組織を再現するものであり、前記骨状部材２を覆う。軟部組織とは、皮膚、皮下脂肪、筋肉、その他骨以外の人体の組織を含む概念である。軟質部材３は、人体の皮膚や筋肉の質感に近いものであれば特に限定されないが、感触が柔らかく、人体の軟部組織に近い触感のゴム素材でできていることが好ましい。
【００４１】
図４ａおよび図４ｂに示されるように、本発明の第１の実施形態では、軟質部材３は、人体模型教材１の手の甲側の背側部材３ａと手の平側の掌側部材３ｂとに分離することができる。
【００４２】
図５に示されるように、軟質部材３（背側部材３ａと掌側部材３ｂ）は、マジックテープ（登録商標）により、接着部分Ｂにおいて骨状部材２と着脱可能に接着することができる。これにより、骨状部材２を容易かつ迅速に軟質部材３内部に収容することができる。
【００４３】
図３ｃに示されるように、軟質部材３は、背側部材３ａと掌側部材３ｂとに分離せず、一体であってもよい。かかる場合、軟質部材３の内部は中空であり、任意の箇所に外部に通じる開口部４が設けられる。開口部４は、橈骨遠位端骨折の整復の際に軟質部材３内部の骨状部材２が開口部４から出てくることを防止するという観点から、橈骨の骨状部材２とは反対側の尺骨側に設けられていることが好ましい。
【００４４】
本発明の第２の実施形態では、軟質部材３は、透明なゴム素材でできている。不透明なゴム素材の場合、内部の骨状部材２の状態を目視できないため、より実際の整復治療に近い状態で整復練習ができるという利点があるが、透明なゴム素材の場合、内部の骨状部材２の動きを確認することができ、整復の動作と骨の動きの関連性を学ぶことができる。したがって、コーレス骨折の患部に相当する分離部分Ａ近傍の状態を目視で確認することができ、整復動作が正しいか否かを常時確認することができる。
【００４５】
図６ａに示されるように、本発明の第３の実施形態では、橈骨部材２１と尺骨部材２２との間に、スペーサー２０が設置されている。スペーサー２０は、人体における骨間膜の役割を果たすものであり、橈骨部材２１と尺骨部材２２とを一定間隔に維持する。また、スペーサー２０は、橈骨部材２１と接着剤２３により固定されるが、尺骨部材２２とは固定されず、分離しない程度に連結されている。これにより、整復練習の際に、橈骨部材２１が尺骨部材２２に接触することを防止し、より実際の整復治療に近い状況が再現される。
【００４６】
図６ｂに示されるように、スペーサー２０の形状は、横断面形状がＸ字状である。スペーサー２０は、前記横断面形状両側にそれぞれ形成される凹部が、橈骨部材２１と尺骨部材２２とにはめ合わされることにより、両者を一定間隔に維持する。スペーサー２０は弾性を有するゴム素材であることが好ましい。
【００４７】
図７に示されるように、本発明の第４の実施形態では、軟質部材３は骨状部材２に手袋のように装着される。これにより、軟質部材３を分離したり、開口部４を設ける必要がなくなる。
【００４８】
次に、橈骨１０の整復動作の一実施態様について説明する。図１ａおよび図１ｂに示されるように、橈骨遠位端部材１１と橈骨近位端部材１２とは、分離部分Ａにおいて分離しているが、橈骨近位端部材１２の磁石１３の磁力により両者は離間せず磁気的に吸着している。この磁力により、橈骨遠位端部材１１と橈骨近位端部材１２とは、人体と同様の自由度をもって離間することなく動かすことができ、人体の筋肉の抵抗感が再現される。
【００４９】
整復技術習得用の人体模型教材１上には、コーレス骨折の症状が再現される。図１ａに示されるように、分離部分Ａは小指側から親指側に直線となり、橈骨近位部材１２が小指側へ転位し、同時に回内（内側へひねられる）し、これに対して橈骨遠位部材１１が親指側に突き出る橈側転位が再現され、また同時に回外（外側へひねられる）転位が再現される。
【００５０】
分離部分Ａは、橈骨１０の背側と掌側間の縦断面において、橈骨近位端部材１２の掌側と分離面との角度が６０〜９０°になるように形成される。これにより、橈骨遠位端部材１１は、橈骨近位端部材１２に対して手の甲側に持ち上がるかたちとなり、短縮および背側転位が再現される。
【００５１】
このようにしてコーレス骨折の転位状態が再現された整復技術習得用の人体模型教材１は、整復治療の動作を施すことにより正常な位置状態に戻すことができる。整復治療の動作は、牽引、回内、尺屈、掌屈の順番でおこなわれる。その結果、図２ａおよび図２ｂに示されるように、橈骨遠位端部材１１と橈骨近位端部材１２とが、分離部分Ａにおいてお互いが一致するように磁力により吸着される。磁力の抵抗感と軟質部材３のゴム素材による抵抗感とが、実際のコーレス骨折治療の際の筋肉の抵抗感を再現し、実際のコーレス骨折に限りなく近い症状を人体模型教材１上に再現することができる。
【００５２】
上記のとおり、本発明の人体模型教材１は、その橈骨遠位端部材１１に、橈骨遠位端骨折に限りなく近い橈骨の転位状態を再現することができ、人体模型教材１を用いた整復実習をすることができるので、柔道整復師の技術向上を図ることができ、増加する実習生の整復技術向上に有効な指導方法を柔道整復学校に提供することができる。
【符号の説明】
【００５３】
１  （整復技術習得用の）人体模型教材
２  骨状部材
３  軟質部材
３ａ  背側部材
３ｂ  掌側部材
４  開口部
１０  （骨状部材の）橈骨
１１  橈骨遠位端部材
１２  橈骨近位端部材
１３  磁石
１４  筒状部材
１５  ＰＶＣ製の部材
２０  スペーサー
２１  橈骨部材
２２  尺骨部材
２３  接着剤
１００  橈骨
１０１  尺骨
１０２  上腕骨
１０３  橈骨近位端
１０４  橈骨遠位端
Ａ  （橈骨遠位端部材と橈骨近位端部材との）分離部分
Ｂ  （骨状部材と軟質部材との）接着部分
【図１】
0005394429.tif 000002
【図２】
0005394429.tif 000003
【図３】
0005394429.tif 000004
【図４】
0005394429.tif 000005
【図５】
0005394429.tif 000006
【図６】
0005394429.tif 000007
【図７】
0005394429.tif 000008
【図８】
0005394429.tif 000009